(57)【要約】【課題】木軸にポインティングデバイスのような棒状の作用体を挿入してなる木軸作用具について、小口の捲れ、欠けや割れを生じさせずに、木軸の先端を切削できるようにする。【解決手段】軸心に孔が形成された木軸からなる把持体２０と、前記把持体２０の前記軸心に収納される棒状構造を有し、該棒状構造の先端に設けられる作用部４０が前記把持体２０の一端から突出する作用体３０と、を有し、前記把持体２０の両端のうち、少なくとも前記一端に樹脂が含浸されているとともに、該一端に切削加工が施されていることを特徴とする木軸作用具１０。【選択図】図５
2019192078.tif 000002
【特許請求の範囲】
【請求項１】
軸心に孔が形成された木軸からなる把持体と、
前記把持体の前記軸心に収納される棒状構造を有し、該棒状構造の先端に設けられる作用部が前記把持体の一端から突出する作用体と、を有し、
前記把持体の両端のうち、少なくとも前記一端に樹脂が含浸されているとともに、該一端に切削加工が施されていることを特徴とする木軸作用具。
【請求項２】
前記一端が、先細に切削加工されていることを特徴とする請求項１記載の木軸作用具。
【請求項３】
前記把持体の両端のうち、少なくとも一方に前記樹脂が含浸されているとともに、該一方の内径が切削加工により拡張されていることを特徴とする請求項１又は２記載の木軸作用具。
【請求項４】
前記作用体は、画面への接触を通じて電子情報を入力するための接触体であることを特徴とする請求項１から３までのいずれか１項に記載の木軸作用具。
【発明の詳細な説明】
【技術分野】
【０００１】
本発明は、把持体としての木軸に作用体が収納されている木軸作用具に関する。
【背景技術】
【０００２】
近年、一般的に軸筒として用いられる材料は合成樹脂であるが、木材の風合いなどから木軸を愛好するユーザも少なからず存在する。このような木軸に、電磁誘導式タッチペン、静電容量式タッチペン又は感圧式タッチペンを装着していわゆるポインティングデバイスとして機能させたりするようなものも提供されている。
【０００３】
このようなポインティングデバイスとして、たとえば、軸体の側面を導電性塗料で被覆しつつ、その後端側（すなわち、筆記を行わない側）に導電体を装着して、静電入力方式のタッチパネルへの入力が行えるようにしたものが開示されている（特許文献１参照）。
【０００４】
また、導電性物質を樹脂製の多孔質体に含浸させたものを鉛筆様の軸として、これに導電性物質が含まれるペン芯を設けて、鉛筆のように先端を削ることが可能な、静電誘導型入力装置様の入力ペンも開示されている（特許文献２参照）
【先行技術文献】
【特許文献】
【０００５】
【特許文献１】特開２０１５−１６６２１号公報
【特許文献２】特開２０１６−７６０６７号公報
【発明の概要】
【発明が解決しようとする課題】
【０００６】
一般的に木軸を製造する際には、軸心に孔を形成した木軸を作っておいてから、その孔の中にポインティングデバイスを挿入する工程が採られることになる。その際、入力部分の視認性や意匠性を向上させる目的でこれらを挿入した後に木軸の先を削るとポインティングデバイスの先端を損傷して機能を損なうおそれがある。したがって、ポインティングデバイスの挿入前に木軸の先を削っておく必要がある。
【０００７】
ここで、木軸の中に支えとなる物体が挿入されていれば、木軸の小口の厚さをたとえば１ｍｍ未満の薄さにまでテーパー状に削ることは容易である。しかしながら、軸心が貫通して空洞のままの木軸の先を削る場合、切削加工により木軸の先端の木材が捲れたり、欠けたり、割れることがある。
【０００８】
そこで、小口の捲れ、欠けや割れの生じにくい厚さ（たとえば、２ｍｍ以上）に留めるように木軸の先を削る、という方法も考えられる。この方法では、小口の厚さでポインティングデバイスとの間に極端な段差ができ、美観を損なうことになる。
【０００９】
さらに、後からポインティングデバイスを木軸に挿入するため、貫通孔の内径はこのポインティングデバイスの外径より幾分大きくする必要がある。このため、挿入後の木軸とポインティングデバイスとの遊びが生じ、これによりポインティングデバイスにかかる使用時の荷重が木軸の先端部に集中しやすくなり、そのため先端部が破損しやすくなる。また、木軸の先端を薄くすることにより、使用時における端部の欠けや時間経過による木軸自体の反りが発生することがある。
【００１０】
そこで本発明は、木軸に前記ポインティングデバイスのような棒状の作用体を挿入してなる木軸作用具について、小口の捲れ、欠けや割れを生じさせずに、木軸の先端を切削できるようにすること、及び、使用時に圧力の掛かる端部の欠けを生じさせないことを課題とする。
【課題を解決するための手段】
【００１１】
上記の課題に鑑み、本開示の第１の態様に係る木軸作用具は、
軸心に孔が形成された木軸からなる把持体と、
前記把持体の前記軸心に収納される棒状構造を有し、該棒状構造の先端に設けられる作用部が前記把持体の一端から突出する作用体と、を有し、
前記把持体の両端のうち、少なくとも前記一端に樹脂が含浸されているとともに、該一端に切削加工が施されていることを特徴とする。
【００１２】
「把持体」とは、軸心に孔が形成された木軸であって、たとえば、芯がなく軸のみの鉛筆の形状がこれに当たる。この把持体は、木軸作用具の使用時において、ユーザが手指で直接把持する部材である。なお、この孔は貫通して中空とすることで、切削加工や貼り合わせによる把持体の製造が容易となる。
【００１３】
ここで、「作用体」とは、全体形状として棒状を呈し、その先端にある作用部をもって所定の対象物に物理的な状態変化を与えるものをいう。作用体としては、たとえば、画面への接触を通じて電子情報を入力するための接触体、筆記具としての機能を有する筆記体、及び化粧料を塗布するための塗布体が挙げられる。この作用体を、木軸である把持体の軸心に収容したものを、本開示では「木軸作用具」と称する。
【００１４】
なお、作用体として接触体を用いる場合、その先端にある作用部は、いわゆるポインティングデバイスの入力先端に相当する。このように作用体として接触体を用いる場合には、木軸作用具はポインティングデバイスとして機能し、所定の対象物としてのタッチパネルの表面における静電容量や磁束密度等の変化、あるいは圧力の付与という、物理的な状態変化を与えることになる。
【００１５】
また、作用体として筆記体を用いる場合、その先端にある作用部は筆記先端であり、たとえば筆記体がボールペンリフィルであれば作用部はボールペンチップに相当する。このように作用体として筆記体を用いる場合には、木軸作用具は「筆記具」として機能し、所定の対象物としての筆記面に対し、描線等を付着させるという、物理的な状態変化を与えることになる。
【００１６】
さらに、作用体として塗布体を用いる場合、その先端にある作用部は、塗布する化粧料の種類に応じ、ブラシ、ペン、コイル等様々な形状に相当する。このように作用体として塗布体を用いる場合には、木軸作用具は「塗布具」として機能し、所定の対象物としての人体の各部（たとえば、皮膚、眼瞼、眉、まつげ、唇、爪等）に化粧料（ファウンデーション、アイシャドー、黛、マスカラ、口紅、マニキュア液等）を付着させるという、物理的な状態変化を与えることになる。
【００１７】
この他にも、上記の定義に当てはまるものであれば、作用体の種類は上記した接触体、筆記体及び塗布体には限定されない。たとえば、先端が「＋」又は「−」となっているドライバーのシャフトを作用体とすることができ、その場合、木軸作用具。は「ドライバー」として、所定の対象物としてのネジを締めたり緩めたりという、物理的な状態変化を与えることになる。
【００１８】
前記把持体の両端のうちの一端からは、軸心に収納された作用体の作用部が突出している。そして少なくともその一端に樹脂が含浸され、切削加工が施されている。もちろん、その一端以外の他端にも樹脂が含浸され、切削加工が施されていてもよい。さらには、把持体の全体に樹脂が含浸されていてもよい。
【００１９】
「樹脂」としては、木材に含浸させることのできる樹脂であれば特にその種類は問わない。たとえば、二液型ポリウレタン樹脂塗料、湿気硬化型ポリウレタン樹脂塗料、油変性ポリウレタン樹脂塗料、不飽和ポリエステル樹脂塗料、ＵＶ硬化型塗料、フタル酸樹脂塗料、酸硬化型アミノアルキド樹脂塗料、水性塗料などの塗料をこの樹脂として用いることができるが、より好ましくは湿気硬化型ポリウレタン樹脂塗料である。
【００２０】
この樹脂の木軸への含浸方法もまたその具体的な方法の種類は問わない。たとえば、上記樹脂塗料のうちのいずれか又は複数の組み合わせを、必要に応じてウレタンシンナー等の適宜の溶媒に希釈し、その溶液に、木軸のうち強度を増大させたい箇所を適時の時間浸漬させ、その後乾燥させることとしてもよい。なお、「含浸」というのは、樹脂組成物が木材の表面から浸透し、木材内部の空隙の全部又は一部に充填されることを示す。
【００２１】
切削加工の態様は特に限定はされず、たとえば、テーパー状に外径を先細に切削したり、また、内径を拡大するように切削されていてもよい。
【００２２】
以上の構成により、本第１の態様に係る木軸作用具では、少なくとも作用体の作用部が突出する把持体の一端において樹脂が含浸されており、その一端を外観上の要請あるいは機能上の要請等で切削加工する際、含浸された樹脂によって強度が増大しており、切削によって小口が捲れたり、欠けたり、割れたりしにくくなる。
【００２３】
また、本開示の第２の態様に係る木軸作用具は、前記第１の態様の特徴に加え、前記一端が、先細に切削加工されていることを特徴とする。すなわち、本態様では、作用体の作用部が突出する把持体の一端に樹脂が含浸されていて、その部分がテーパー状に切削されている。
【００２４】
前記したように、前記一端は樹脂が含浸されていて強度が増大しており、通常の鉛筆の先端を削ったかのような、滑らかな円錐状の先端を形成することが可能となっている。
【００２５】
さらに、本開示の第３の態様に係る木軸作用具は、前記第１又は第２の態様の特徴に加え、前記把持体の両端のうち、少なくとも一方に前記樹脂が含浸されているとともに、該一方の内径が切削加工により拡張されていることを特徴とする。
【００２６】
なお、本態様では、樹脂が含浸されその内径が切削加工される、把持体の両端のうちの「一方」とは、前記第１又は第２の態様で言及される前記「一端」とは同じである場合もあり、また、そうでない場合（すなわち、前記一端とは反対側の「他端」を指す場合）もある。
【００２７】
また、本開示の第４の態様に係る木軸作用具は、前記第１から第３までのいずれかの態様の特徴に加え、前記作用体は、画面への接触を通じて電子情報を入力するための接触体であることを特徴とする。
【００２８】
すなわち、本態様における木軸作用具は、いわゆるポインティングデバイスに限定される。なお、この接触体としては、たとえば電磁誘導式タッチペンユニットが挙げられるが、他の種類のポインティングデバイスとしても機能し得るような接触体、たとえば、静電容量式タッチペンユニット、又は感圧式タッチペンユニットが使用されてもよい。作用体としての接触体がこれらのタッチペンユニットの場合、その先端に装着されるペン先（タッチパネルと直接接触する部位）が作用部となる。
【００２９】
なお、本態様においては、前記作用体は、筆記具としての機能を有する筆記体としてもよい。この場合、本態様における木軸作用具は、「筆記具」に限定される。なお、この筆記体としては、たとえばボールペンリフィルが挙げられるが、他の種類の筆記具としても機能し得るような筆記体、たとえば、シャープペンシルユニット、いわゆる芯ホルダー用の替え芯、マーカーペン用のインク収容部及び筆記先端、又はサインペン用のインク収容部及び筆記先端等、が使用されてもよい。もちろん、これ以外の筆記具としても機能するような筆記体も使用可能である。作用体としての筆記体がボールペンリフィルの場合、その先端に装着されるボールペンチップが作用部となる。
【００３０】
また、本態様においては、前記作用体の前記作用部は、化粧料を塗布するための塗布体としてもよい。この場合、本態様における木軸作用具は、「塗布具」に限定される。なお、この塗布具としては、たとえば、作用部として化粧用ブラシを備えるブラシユニットが挙げられるが、他の塗布具としても機能し得るように、塗布する化粧料の種類に応じた先端形状のものが使用されてもよい。なお、ブラシユニットとは、把持体に挿入される筒状部分の先端に化粧用ブラシが装着されているものである。
【発明の効果】
【００３１】
本発明は、上記のとおり構成されているので、木軸に前記ポインティングデバイスのような棒状の作用体を挿入してなる木軸作用具について、小口の捲れ、欠けや割れを生じさせずに、木軸の先端を切削できるようにすることが可能となる。
【図面の簡単な説明】
【００３２】
【図１】切削加工前の把持体の断面図（Ａ）、並びにこの把持体を先端側から見た形状の例として、正六角形（Ｂ）、円形（Ｃ）及び正三角形（Ｄ）の場合を示す。
【図２】切削加工後の把持体の断面図（Ａ）、並びにこの把持体を先端側から見た形状の例として、正六角形（Ｂ）、円形（Ｃ）及び正三角形（Ｄ）の場合を示す。
【図３】把持体における端部の切削加工の他の例であって、一端の内側を切削した場合（Ａ）、一端の外側と他端の内側とを切削した場合（Ｂ）及び一端の外側と内側とを切削した場合（Ｃ）をそれぞれ断面図にて示す。
【図４】切削後の把持体を利用した木軸作用具としての接触具の例であって、図２（Ａ）に対応する２例（Ａ及びＢ）並びに図３（Ａ）に対応する例（Ｃ）を、接触体以外の部分についてそれぞれ断面図にて示す。
【図５】切削後の把持体を利用した木軸作用具としての筆記具の例であって、図２（Ａ）に対応する２例（Ａ及びＢ）並びに図３（Ａ）に対応する例（Ｃ）を、筆記体以外の部分についてそれぞれ断面図にて示す。
【図６】切削後の把持体を利用した木軸作用具としての塗布具の例であって、図２（Ａ）に対応する２例（Ａ及びＢ）並びに図３（Ａ）に対応する例（Ｃ）を、塗布体以外の部分についてそれぞれ断面図にて示す。
【発明を実施するための形態】
【００３３】
以下、図面を参照しつつ、本開示の実施の形態を説明する。なお、以下の説明では、木軸作用具１０において、作用部４０が位置する側を先端側と称し、その反対側を後端側と称する。
【００３４】
（１）把持体２０
把持体２０は、図１（Ａ）に示すように、軸心が貫通した孔２１が設けられている木軸として形成されている。この把持体２０の断面形状は、把持体２０を先端側から見た図１（Ｂ）〜（Ｄ）に示すように、正六角形（図１（Ｂ））でもよいし、円形（図１（Ｃ））でもよいし、稜線にアールが設けられた正三角形（図１（Ｄ））でもよい。ここで、図１（Ａ）は、図１（Ｂ）〜（Ｄ）に示すIA−IA断面である。図１（Ｂ）〜（Ｄ）には、孔２１が軸心に位置していることが示されている。
【００３５】
木軸は、インセンスシダー、タイワンヒノキ、ウエスタンレッドシダー、アスナロ、ヒバ、イブキ、ハイネズミ、クロベ、ユーカリ等のヒノキ科の木材が好適に用いられる。
【００３６】
さらに、図１（Ａ）に示すように、把持体２０の両端のうちの一端、すなわち先端の付近に樹脂が含浸され、この部分が樹脂含浸部２２となっている。この樹脂含浸部２２に含浸される樹脂は、一液性湿気硬化型ポリウレタン樹脂塗料であり、より好ましい塗料として下記表１に示す各組成を有する。
【００３７】
【表１】
2019192078.tif 000003
【００３８】
上記表１に表記されている原材料は以下のとおりである。なお、各原材料に対応する数値は質量（ｇ）である。
Ｔ−８０：トリレンジイソシアネート（２，４−トリレンジイソシアネート：８０質量％、２，６−トリレンジイソシアネート：２０質量％）（日本ポリウレタン工業）
ＤＥＧ：ジエチレングリコール（三菱ガス化学）
１，３−ＢＧ：１，３−ブチレングリコール（ダイセル化学工業）
ＴＭＰ：トリメチロールプロパン（広榮化学）
ＧＰ２５０：３官能ポリプロピレンオキサイド（三洋化成）
ＰＴＧ−６５０ＳＮ：２官能ポリテトラメチレングリコール（保土谷化学）
ＰＰ−１０００：２官能ポリプロピレンオキサイド（三洋化成）
ソルベッソ１００：石油系溶剤（エクソンモービル）
ＭＩＢＫ：メチルイソブチルケトン（ゴードー溶剤）
【００３９】
上記の３種類の樹脂塗料のうち、ポリイソシアネートＡ（ＰＩ−Ａ）は以下のように合成された。すなわち、窒素置換した１ＬのセパラブルフラスコにＴ−８０を３７０ｇ、ソルベッソ１００を３００ｇ入れ、撹拌しながら５０℃まで昇温した。温度が安定したらＤＥＧを２５ｇ加え、７０〜８０℃で１時間撹拌した。１時間後反応液を約５０℃まで冷却してから、ＧＰ−２５０を１５５ｇ、７０〜８０℃を保持し発熱に注意しながら数回に分けてゆっくり加えた。温度が約８０℃に安定してからさらに２時間７０〜８０℃で撹拌した。２時間後にＭＩＢＫを１５０ｇ加え、放冷しながらさらに３０分間撹拌した。これにより得られたＰＩ−ＡのＮＣＯ（イソシアネート）含量は８．１％、２５℃における粘度は１５０ｍＰａ・ｓ（２５℃）、固形分は５５％であった。
【００４０】
上記と同様にして、ポリイソシアネートＢ（ＰＩ−Ｂ）及びポリイソシアネートＣ（ＰＩ−Ｃ）を得た。ただし、ＰＩ−Ｂ及びＰＩ−Ｃにおいては、ＤＥＧの代わりに上記表１に示す量の１，３−ＢＧ及びＴＭＰを使用した。また、ＰＩ−Ｂにおいては、ＧＰ−２５０の代わりに上記表１に示す量のＰＴＧ−６５０ＳＮを使用した。さらに、ＰＩ−Ｃにおいては、ＧＰ−２５０の代わりに上記表１に示す量のＰＰ−１０００を使用した。
【００４１】
そして、含水率２０％未満の状態で把持体２０の先端部分を上記組成の樹脂に浸漬した後、５０℃の通風乾燥機中に入れ所定時間の乾燥条件下で乾燥させて、この樹脂含浸部２２となる。
【００４２】
この樹脂含浸部２２は、通常の鉛筆の木軸と同様に、鉛筆削り器等で先細に切削することができる。ここで、外周面に切削加工を施すと、図２（Ａ）に示すように、樹脂含浸部２２の部分の外径が、先端側に向かってテーパー状に縮径する外径縮小部２３となる。樹脂含浸部２２の先端縁には肉薄の小口２５が形成されている。
【００４３】
この図２（Ａ）に示す把持体２０もまた、その断面形状は、切削前の前記図１（Ｂ）〜（Ｄ）に示すような形状に応じて、把持体２０を先端側から見た図２（Ｂ）〜（Ｄ）にそれぞれ示すように、正六角形（図２（Ｂ））であったり、円形（図２（Ｃ））であったり、稜線にアールが設けられた正三角形（図２（Ｄ））であったりする。ここで、図２（Ａ）は、図２（Ｂ）〜（Ｄ）に示すIIA−IIA断面である。図２（Ｂ）〜（Ｄ）には、孔２１が軸心に位置していることが示されているのは図１（Ｂ）〜（Ｄ）と同様であるが、その他に、外径縮小部２３及び小口２５も視認される。
【００４４】
把持体２０における樹脂含浸部２２の切削については、図２（Ａ）に示す以外にも、様々な態様が可能である。
【００４５】
たとえば、図３（Ａ）に示すように、把持体の両端のうちの一端、すなわち先端の付近に前記と同様に樹脂含浸部２２を形成し、その樹脂含浸部２２における孔２１の内径を拡張するように切削して内径拡張部２４を形成することとしてもよい。この場合も、樹脂含浸部２２の先端縁には肉薄の小口２５が形成されるが、前記図２（Ａ）における小口２５が軸心寄りに位置しているのに対し、この図３（Ａ）における小口２５は周辺寄りに位置している。
【００４６】
また、図３（Ｂ）に示すように、把持体の両端、すなわち先端及び後端の両方の付近を前記と同様に樹脂含浸部２２とし、それらの樹脂含浸部２２のうち、先端側の方を図２（Ａ）と同様に切削して外径縮小部２３を形成し、そして後端側の方を図３（Ａ）と同様に切削して内径拡張部２４を形成することとしてもよい。この場合、先端側においては軸心寄りに小口２５が形成され、後端側においては周辺寄りに小口２５が形成される。
【００４７】
さらに、図３（Ｃ）に示すように、把持体の両端のうちの一端、すなわち先端の付近を前記と同様に樹脂含浸部２２とし、その樹脂含浸部２２における外周面を図２（Ａ）より緩傾斜のテーパー状に切削して外径縮小部２３を形成するとともに、その樹脂含浸部２２における孔２１の内径を拡張するように切削して内径拡張部２４も形成することとしてもよい。この図３（Ｃ）における小口２５は、図２（Ａ）における小口２５と図３（Ａ）における小口２５との中間的な位置である。
【００４８】
（２）木軸作用具１０
前記の把持体２０に作用体３０を収納することで、木軸作用具１０が形成される。その例を以下に示す。
【００４９】
（２−１）接触具１２
図４（Ａ）〜（Ｃ）は、接触具１２としての木軸作用具１０の例を示すものである。なお、この接触具１２は電磁誘導式タッチペンである。
【００５０】
図４（Ａ）においては、図２（Ａ）に示すような、先端に外径縮小部２３が形成された把持体２０に、棒状構造である作用体３０としての接触体３２が収納されている。なお、この接触体３２は、先端に作用部４０としての樹脂製のペン先４２を備えた電磁誘導式タッチペンユニットである。なお、この接触体３２の詳細構造については図示しないが、この接触体３２は、画面への接触を通じた電磁誘導方式によって電子情報の入力に用いられるものであって、たとえば、以下の構成から成る。
【００５１】
すなわち、接触体３２においては、図４（Ａ）に示すように、孔２１（図２（Ａ）参照）に挿入される樹脂製の筒状部材の内部空間の先端側には、棒状のフェライトコアが内蔵され、そのフェライトコアの先端に、たとえばポリアセタールのような合成樹脂製のペン先４２が装着されている。また、フェライトコアの周囲には電磁誘導コイルが外挿されている。さらに、前記筒状部材の内部空間におけるフェライトコアよりも後端側には、電磁誘導コイルと電気的に接続された静電容量可変のコンデンサと静電容量固定のコンデンサと共振周波数を微調整するための各種受動素子が収容されている。
【００５２】
外径縮小部２３の小口２５からは、ペン先４２を含む接触体３２の先端部分が突出している。
【００５３】
一方、把持体２０の後端側の孔２１（図２（Ａ）参照）には、円柱状の後端スペーサ５５が挿入され、その先端は接触体３２の後端と当接している。この後端スペーサ５５は、孔２１に接触体３２を挿入した状態において、孔２１の後端部分の空間を充填することで、接触体３２が後端側に移動するのを阻止している。
【００５４】
なお、この後端スペーサ５５の代わりに、図４（Ｂ）に示すように、孔２１（図２（Ａ）参照）に挿入される後端挿入部５１と、把持体２０の後端縁に当接してこれを被覆する後端被覆部５２とからなる尾栓５０を装着することとしてもよい。この尾栓５０の先端が接触体３２の後端と当接することで、孔２１に接触体３２を挿入した状態において、孔２１の後端部分の空間を埋めて、接触体３２が後端側に移動するのを阻止している。
【００５５】
図４（Ｃ）においては、図３（Ａ）に示すような、先端に内径拡張部２４が形成された把持体２０に、先端部材６０を介して作用体３０としての接触体３２が収納されている。この接触体３２は、図４（Ａ）及び（Ｂ）と同様、先端に作用部４０としてのペン先４２を備えた電磁誘導式タッチペンユニットである。
【００５６】
先端部材６０は、内径拡張部２４に挿入される先端挿入部６１と、把持体２０の先端縁の小口２５に当接するとともに外径が先端側へテーパー状に縮径する先端被覆部６２とから形成されている。この先端被覆部６２の先端からは、ペン先４２を含む接触体３２の先端部分が突出している。このように、把持体２０の先端側に別部材を介して接触体３２を設けることも可能となっている。
【００５７】
なお、把持体２０の後端側の孔２１（図３（Ｃ）参照）には、図４（Ｂ）と同様の尾栓５０が装着されている。この尾栓５０の先端が接触体３２の後端と当接することで、孔２１に接触体３２を挿入した状態において、孔２１の後端部分の空間を埋めて、ペン先４２を含む接触体３２が後端側に移動するのを阻止している。
【００５８】
なお、図４（Ａ）及び（Ｂ）に示す接触体３２と、図４（Ｃ）に示す接触体３２とは同じものであるが、図４（Ｃ）においては先端部材６０を介して装着されている分、図４（Ａ）及び（Ｂ）に対して先端側へずれた位置で装着されている。この位置のずれを、尾栓５０（又は後端スペーサ５５）の長さで調節することが可能となっている。
【００５９】
（２−２）筆記具１１
図５（Ａ）〜（Ｃ）は、筆記具１１としての木軸作用具１０の例を示すものである。なお、この筆記具１１はボールペンである。
【００６０】
図５（Ａ）においては、図２（Ａ）に示すような、先端に外径縮小部２３が形成された把持体２０に、棒状構造である作用体３０としての筆記体３１が収納されている。なお、この筆記体３１は、先端に作用部４０としてのボールペンチップ４１を備えたボールペンリフィルである。
【００６１】
外径縮小部２３の小口２５からは、ボールペンチップ４１の先端部分が突出している。なお、このボールペンチップ４１と孔２１（図２（Ａ）参照）との間の空間を充填すべく、シリコーン樹脂やエラスティックラバーのような弾性に富む樹脂で形成された単筒状の先端スペーサ６５が挿入されており、筆記時におけるボールペンチップ４１のがたつきが低減されている。
【００６２】
一方、把持体２０の後端側の孔２１（図２（Ａ）参照）には、管状の後端スペーサ５５が挿入され、その先端は筆記体３１の後端と当接している。この後端スペーサ５５は、孔２１に筆記体３１を挿入した状態において、孔２１の後端部分の空間を充填することで、筆記体３１が後端側に移動するのを阻止している。
【００６３】
なお、この後端スペーサ５５の代わりに、図５（Ｂ）に示すように、孔２１（図２（Ａ）参照）に挿入される後端挿入部５１と、把持体２０の後端縁に当接してこれを被覆する後端被覆部５２とからなる尾栓５０を装着することとしてもよい。この尾栓５０の先端が筆記体３１の後端と当接することで、孔２１に筆記体３１を挿入した状態において、孔２１の後端部分の空間を埋めて、筆記体３１が後端側に移動するのを阻止している。
【００６４】
図５（Ｃ）においては、図３（Ａ）に示すような、先端に内径拡張部２４が形成された把持体２０に、先端部材６０を介して作用体３０としての筆記体３１が収納されている。この筆記体３１は、図５（Ａ）及び（Ｂ）と同様、先端に作用部４０としてのボールペンチップ４１を備えたボールペンリフィルである。
【００６５】
先端部材６０は、内径拡張部２４に挿入される先端挿入部６１と、把持体２０の先端縁の小口２５に当接するとともに外径が先端側へテーパー状に縮径する先端被覆部６２とから形成されている。この先端被覆部６２の先端からは、ボールペンチップ４１の先端部分が突出している。このように、把持体２０の先端側に別部材を介して筆記体３１を設けることも可能となっている。
【００６６】
なお、把持体２０の後端側の孔２１（図３（Ｃ）参照）には、図５（Ｂ）と同様の尾栓５０が装着されている。この尾栓５０の先端が筆記体３１の後端と当接することで、孔２１に筆記体３１を挿入した状態において、孔２１の後端部分の空間を埋めて、筆記体３１が後端側に移動するのを阻止している。
【００６７】
なお、図５（Ａ）及び（Ｂ）に示す筆記体３１と、図５（Ｃ）に示す筆記体３１とは同じものであるが、図５（Ｃ）においては先端部材６０を介して装着されている分、図５（Ａ）及び（Ｂ）に対して先端側へずれた位置で装着されている。この位置のずれを、尾栓５０（又は後端スペーサ５５）の長さで調節することが可能となっている。
【００６８】
（２−３）塗布具１３
図６（Ａ）〜（Ｃ）は、塗布具１３としての木軸作用具１０の例を示すものである。なお、この塗布具１３はマニキュアブラシである。
【００６９】
図６（Ａ）においては、図２（Ａ）に示すような、先端に外径縮小部２３が形成された把持体２０に、棒状構造である作用体３０としての塗布体３３が収納されている。なお、この塗布体３３は、化粧料としてのアイシャドー等を塗布するためのもので、先端に作用部４０としての化粧用ブラシ４３を備えたブラシユニットである。
【００７０】
外径縮小部２３の小口２５からは、化粧用ブラシ４３が突出している。
【００７１】
一方、把持体２０の後端側の孔２１（図２（Ａ）参照）には、円柱状の後端スペーサ５５が挿入され、その先端は塗布体３３の後端と当接している。この後端スペーサ５５は、孔２１に塗布体３３を挿入した状態において、孔２１の後端部分の空間を充填することで、塗布体３３が後端側に移動するのを阻止している。
【００７２】
なお、この後端スペーサ５５の代わりに、図６（Ｂ）に示すように、孔２１（図２（Ａ）参照）に挿入される後端挿入部５１と、把持体２０の後端縁に当接してこれを被覆する後端被覆部５２とからなる尾栓５０を装着することとしてもよい。この尾栓５０の先端が塗布体３３の後端と当接することで、孔２１に塗布体３３を挿入した状態において、孔２１の後端部分の空間を埋めて、塗布体３３が後端側に移動するのを阻止している。
【００７３】
図６（Ｃ）においては、図３（Ａ）に示すような、先端に内径拡張部２４が形成された把持体２０に、先端部材６０を介して作用体３０としての塗布体３３が収納されている。この塗布体３３は、図６（Ａ）及び（Ｂ）と同様、先端に作用部４０としての化粧用ブラシ４３を備えたブラシユニットである。
【００７４】
先端部材６０は、内径拡張部２４に挿入される先端挿入部６１と、把持体２０の先端縁の小口２５に当接するとともに外径が先端側へテーパー状に縮径する先端被覆部６２とから形成されている。この先端被覆部６２の先端からは、化粧用ブラシ４３の先端部分が突出している。このように、把持体２０の先端側に別部材を介して塗布体３３を設けることも可能となっている。
【００７５】
なお、把持体２０の後端側の孔２１（図３（Ｃ）参照）には、図６（Ｂ）と同様の尾栓５０が装着されている。この尾栓５０の先端が塗布体３３の後端と当接することで、孔２１に塗布体３３を挿入した状態において、孔２１の後端部分の空間を埋めて、塗布体３３が後端側に移動するのを阻止している。
【００７６】
なお、図６（Ａ）及び（Ｂ）に示す塗布体３３と、図６（Ｃ）に示す塗布体３３とは同じものであるが、図６（Ｃ）においては先端部材６０を介して装着されている分、図６（Ａ）及び（Ｂ）に対して先端側へずれた位置で装着されている。この位置のずれを、尾栓５０（又は後端スペーサ５５）の長さで調節することが可能となっている。
【００７７】
（３）その他
なお、具体的な木軸作用具としての例は説明しなかったが、前記図３（Ｂ）に示した把持体２０の後端側に形成された内径拡張部２４には、適宜の構造物を装着することが可能である。
【００７８】
たとえば、把持体２０に筆記体として、いわゆる芯ホルダーの替え芯を用いる場合には、その替え芯による描線を消去するための消しゴムをこの内径拡張部２４に装着することができる。
【００７９】
また、把持体２０に筆記体として、熱消去性インクを収容したボールペンリフィルを用いる場合には、そのボールペンリフィルによる描線を摩擦によって消去するための摩擦ラバーをこの内径拡張部２４に装着することができる。
【００８０】
その他、内径拡張部２４には、孔２１に収容される作用体３０の機能とは無関係な構造体、たとえばキーホルダーやアクセサリーなどを装着することとしてもよい。
【００８１】
前記図３（Ｂ）に示した把持体２０の先端側に形成された内径拡張部２４には、図４（Ｃ）又は図５（Ｃ）に示したのと同様の形状（ただし、外径はより小さい）の、先端部材６０を装着し、これを介して作用体３０を装着することとしてもよい。
【００８２】
さらに、図３（Ａ）〜（Ｃ）に示した外径縮小部２３は、把持体２０の両端に形成することとしてもよいし、また、内径拡張部２４もまた把持体２０の両端に形成することとしてもよい。それにより、たとえば、同種又は異種の作用体３０を把持体２０の両端に装着することができる。
【実施例】
【００８３】
インセンスシダー製の木材からなる六角形の木軸（軸心を貫通する孔の内径４ｍｍ、外径７．８ｍｍ、厚さ７．２ｍｍ）を作成し、前記表１に示した樹脂塗料のうちＰＩ−Ａを先端から１５ｍｍを１５分間含浸させた後、乾燥状態としたものから以下の試験を実施した。
【００８４】
（切削外観試験）
切削外観試験として、三菱鉛筆製ミニ鉛筆削り器（商品名：ポケットシャープナーＤＰＳ−１０１  ＰＬＴ）で１周約１秒の速度にて、先端肉厚が０．５ｍｍになるまで手で切削を行い、端面の切削状態を目視にて２０本、観察した。その観察の結果、端面に欠け、破損等、外観に問題のある状態は見られなかったものを評価Ａとした。また、端面に欠け、破損が見られ、外観への問題が見られたものを評価Ｂとした。
【００８５】
上記切削外観試験の結果、樹脂塗料を含浸した木軸２０本のうち、評価Ａのものが１８本（９０％）であり、評価Ｂのものが２本（１０％）であった。一方、樹脂塗料を含浸しなかった木軸２０本のうち、評価Ａのものが１２本（６０％）であり、評価Ｂのものが８本（４０％）であった。この結果から、樹脂塗料を含浸することにより外観性の向上が認められた。
【００８６】
（強度試験）
上記切削外観試験で評価Ａを得た木軸を用いて、その木軸の軸心に外径４ｍｍの金属棒を深さ１５ｍｍまで差し込み、端面から１５ｍｍ離間した位置から軸断面に対する曲げ荷重を掛けて木軸端面が破損するまでの荷重（Ｎ）を測定し、１０本の平均値を算出した。
【００８７】
その結果、樹脂顔料を含浸した木軸の平均値が２３．０Ｎであったのに対し、樹脂顔料を含浸しなかった木軸の平均値は１７．５Ｎであった。この結果から、樹脂顔料を含浸することにより耐荷重性が向上するため、実際の使用においても端面の強度の向上が図られるものと思われた。
【産業上の利用可能性】
【００８８】
本発明は、木軸を使用した接触具のみならず筆記具、塗布具としても利用可能である。
【符号の説明】
【００８９】
１０  木軸作用具
１１  筆記具              １２  接触具              １３  塗布具
２０  把持体              ２１  孔                  ２２  樹脂含浸部
２３  外径縮小部          ２４  内径拡張部          ２５  小口
３０  作用体
３１  筆記体              ３２  接触体              ３３  塗布体
４０  作用部
４１  ボールペンチップ    ４２  ペン先              ４３  化粧用ブラシ
５０  尾栓                ５１  後端挿入部          ５２  後端被覆部
５５  後端スペーサ
６０  先端部材            ６１  先端挿入部          ６２  先端被覆部
６５  先端スペーサ
【図１】
2019192078.tif 000004
【図２】
2019192078.tif 000005
【図３】
2019192078.tif 000006
【図４】
2019192078.tif 000007
【図５】
2019192078.tif 000008
【図６】
2019192078.tif 000009